(57)【要約】【課題】ポーリングをする際、ＥＭＳのポーリング処理の負荷を軽減するとともに、広域通信網のトラフィック量の軽減を図ることが可能なＷｉＭＡＸ通信システムを提供する。【解決手段】端末１２と無線接続する基地局１４ａ〜１４ｆと、端末１２と基地局１４ａ〜１４ｆとのＱｏＳを管理するＡＳＮＧＷ１６ａ、１６ｂと、前記１４ａ〜１４ｆの運用管理を行うＥＭＳ２２と、を備え、ＡＳＮ１８ａ、１８ｂは、基地局１４ａ〜１４ｆの動作状況を確認するためのポーリングを行うポーリングエージェント２６ａ、２６ｂを有し、ポーリングエージェント２６ａ、２６ｂは、ＥＭＳ２２の指示によって基地局１４ａ〜１４ｆに対するポーリングを行う。【選択図】図１
2011229022.tif 000002
【特許請求の範囲】
【請求項１】
端末と無線接続する基地局と、前記端末と前記基地局とのＱｏＳを管理するＡＳＮＧＷ（Access Service Network-Gateway）とを有するＡＳＮ（Access Service Network）と、
前記基地局の運用管理を行うＥＭＳと、を備え、
前記ＡＳＮは、前記基地局の動作状況を確認するためのポーリングを行うポーリングエージェントを有し、
前記ポーリングエージェントは、前記ＥＭＳの指示によって前記基地局に対するポーリングを行う
ことを特徴とするＷｉＭＡＸ通信システム。
【請求項２】
請求項１記載のＷｉＭＡＸ通信システムにおいて、
前記ＡＳＮＧＷは、前記ポーリングエージェントを有する
ことを特徴とするＷｉＭＡＸ通信システム。
【発明の詳細な説明】
【技術分野】
【０００１】
本発明は、端末と無線接続する基地局と、前記端末と前記基地局とのＱｏＳを管理するＡＳＮＧＷとを有するＡＳＮとを備えるＷｉＭＡＸ通信システムに関する。
【背景技術】
【０００２】
次世代の高速移動体通信方式としてＷｉＭＡＸ(Worldwide Interoperability for Microwave Access)が国際的に注目を集め、このシステムの導入が開始されている。
【０００３】
このＷｉＭＡＸ通信システム１００は、図３に示されるようにＡＳＮ（Access Service Network）１０４ａ、１０４ｂと、ＣＳＮ（Connectivity Service Network）２０と、ＥＭＳ（Element Management System）１０６とを備え、ＥＭＳ１０６は、広域通信網２４を介してＣＳＮ２０、ＡＳＮ１０４ａ、１０４ｂと接続している。
【０００４】
ＡＳＮ１０４ａ、１０４ｂは、通信機能を有するコンピュータや携帯電話等である端末１２と無線接続する基地局１４ａ〜１４ｆと、端末１２と基地局１４ａ〜１４ｆとのＱｏＳを管理するＡＳＮＧＷ１０２ａ、１０２ｂとを備えるネットワークである。
【０００５】
ＣＳＮ２０は、ＰＦ（Policy Function）サーバと、ＡＡＡ（Authentication Authorization Accounting）サーバと、ＤＨＣＰ（Dynamic Host
Configuration Protocol）サーバとを備えるネットワークである。
【０００６】
ＥＭＳ１０６は、基地局１４ａ〜１４ｆの種々のパラメータを広域通信網２４を介して設定する装置である。
【０００７】
ＷｉＭＡＸ通信システム１００では、ＥＭＳ１０６は定期的に動作状況を確認するために基地局１４ａ〜１４ｆに対してＳＮＭＰ（Simple Network Management Protocol）ポーリング（以下「ポーリング」とする）を行っている。
【先行技術文献】
【非特許文献】
【０００８】
【非特許文献１】WiMAX Forum 「Wimax Network Management NMS to EMS Interface」  ２００８年８月２８日
【発明の概要】
【発明が解決しようとする課題】
【０００９】
しかしながら、このポーリングは、すべての基地局に対して行う必要があり、基地局数が増大するにつれて、ＥＭＳ１０６のポーリング処理の負荷も大きくなる。また、ポーリングは、広域通信網２４を介して、メッセージが送受信されることから、広域通信網２４のトラフィック量も基地局数の増大につれて大きくなる。
【００１０】
本発明は、上記の課題を考慮してなされたものであって、ポーリングをする際、ＥＭＳのポーリング処理の負荷を軽減するとともに、広域通信網のトラフィック量の軽減を図ることが可能なＷｉＭＡＸ通信システムを提供することを目的とする。
【課題を解決するための手段】
【００１１】
本発明に係るＷｉＭＡＸ通信システムは、端末と無線接続する基地局と、前記端末と前記基地局とのＱｏＳを管理するＡＳＮＧＷ（Access Service Network-Gateway）とを有するＡＳＮ（Access Service Network）と、前記基地局の運用管理を行うＥＭＳと、を備え、前記ＡＳＮは、前記基地局の動作状況を確認するためのポーリングを行うポーリングエージェントを有し、前記ポーリングエージェントは、前記ＥＭＳの指示によって前記基地局に対するポーリングを行うことを特徴とする。
【００１２】
また、前記ＷｉＭＡＸ通信システムにおいて、前記ＡＳＮＧＷが前記ポーリングエージェントを有していても良い。
【発明の効果】
【００１３】
本発明のＷｉＭＡＸ通信システムによれば、基地局の動作状況を確認するためのポーリングを行うポーリングエージェントをＡＳＮ内に設けることにより、ＥＭＳのポーリング処理の負荷を軽減することができるとともに、ポーリングのために送受信されるメッセージのうち、広域通信網を経由するメッセージを減らすことにより、広域通信網の負荷を軽減することができる。また、基地局の増加に伴うＥＭＳの負荷及び広域通信網２４のトラフィック量の増加を避けることができる。
【図面の簡単な説明】
【００１４】
【図１】本発明の実施形態に係るＷｉＭＡＸ通信システムの説明図である。
【図２】本発明の実施形態に係るＷｉＭＡＸ通信システムにおける基地局に対するポーリングの手順の説明図である。
【図３】従来のＷｉＭＡＸ通信システムの説明図である。
【発明を実施するための形態】
【００１５】
以下、本発明の実施形態について図面を参照して説明する。図１は、本発明の実施形態に係るＷｉＭＡＸ通信システム１０の説明図である。
【００１６】
ＷｉＭＡＸ通信システム１０は、ＡＳＮ１８ａ、１８ｂと、ＣＳＮ２０と、ＥＭＳ２２とを備え、ＥＭＳ２２は、広域通信網２４を介してＣＳＮ２０、ＡＳＮ１８ａ、１８ｂと接続している。
【００１７】
ＡＳＮ１８ａは、基地局１４ａ〜１４ｃと、ＡＳＮＧＷ１６ａと、ＡＳＮＧＷ１６ａと接続するポーリングエージェント（ＰＡ）２６ａとを備え、同様にＡＳＮ１８ｂは、基地局１４ｄ〜１４ｆと、ＡＳＮＧＷ１６ｂと、ＡＳＮＧＷ１６ｂと接続するポーリングエージェント２６ｂとを備える。
【００１８】
ポーリングエージェント２６ａは、ＥＭＳ２２の指示に従って、ＥＭＳ２２の代わりに基地局１４ａ〜１４ｃの動作状態を確認するためのポーリングを行う装置であり、ポーリングエージェント２６ｂも同様の装置である。
【００１９】
ＥＭＳ２２は、基地局１４ａ〜１４ｆの種々のパラメータを広域通信網２４を介して設定するとともに、基地局１４ａ〜１４ｆの動作状況を定期的に確認するために、ポーリングエージェント２６ａ、２６ｂに定期的にポーリングを行い、ポーリングエージェント２６ａ、２６ｂに基地局１４ａ〜１４ｆに対するポーリングを行わせる装置である。
【００２０】
次に、図１、図２に基づいて、基地局１４ａ〜１４ｆに対するポーリングについて説明する。ここで、図２は、基地局１４ａ〜１４ｆに対するポーリングの手順の説明図である。
【００２１】
基地局１４ａ〜１４ｆに対するポーリングは、まず、ＥＭＳ２２がポーリングエージェント２６ａに対して、基地局１４ａ〜１４ｃの動作状況をするためのポーリングとして、リクエストのメッセージＰＥＡを送信する（ステップＳ１）。ここで、メッセージＰＥＡは、ＥＭＳ２２とポーリングエージェント２６ａ、２６ｂとの間で送受信されるメッセージである。
【００２２】
ポーリングエージェント２６ａは、前記メッセージＰＥＡを受信すると、基地局１４ａ〜１４ｃにリクエストのメッセージＰＡＢを送信する（ステップＳ２）。ここで、メッセージＰＡＢは、ポーリングエージェント２６ａ、２６ｂと基地局１４ａ〜１４ｆとの間で送受信されるメッセージである。
【００２３】
基地局１４ａ〜１４ｃは、メッセージＰＡＢを受信すると、ポーリングエージェント２６ａに動作状況を内容とするレスポンスのメッセージＰＡＢを送信する（ステップＳ３）。
【００２４】
ポーリングエージェント２６ａは、基地局１４ａ〜１４ｃのすべてからメッセージＰＡＢを受信すると、ＥＭＳ２２に、１本のレスポンスとしてまとめたメッセージＰＥＡを送信する。ＥＭＳ２２がメッセージＰＥＡを受信し、基地局１４ａ〜１４ｃに対するポーリングが完了する（ステップＳ４）。
【００２５】
なお、上記説明では、基地局１４ａ〜１４ｃに対するポーリングについて説明したが、基地局１４ｄ〜１４ｆに対するポーリングは、ＥＭＳ２２、ポーリングエージェント２６ｂ、基地局１４ｄ〜１４ｆの間で基地局１４ａ〜１４ｃに対するポーリングと同様に行われる。
【００２６】
ＥＭＳ２２は、ポーリングエージェント２６ａ、２６ｂから受信したメッセージＰＥＡに基づいて、基地局１４ａ〜１４ｆの動作状況を確認する。
【００２７】
ＷｉＭＡＸ通信システム１０では、ＡＳＮが備えるポーリングエージェント数（Ｎ）に応じて、メッセージＰＥＡが送受信され、ＥＭＳ２２は、上下方向でそれぞれＮ本のメッセージＰＥＡを処理する。本実施形態では、ポーリングエージェント２６ａ、２６ｂの数が２（Ｎ＝２）であるので、ＥＭＳ２２は、上下方向でそれぞれ２本のメッセージＰＥＡを処理することとなる。
【００２８】
また、各ポーリングエージェント２６ａ、２６ｂは、ＥＭＳ２２との関係で上下方向で１本のメッセージＰＥＡを処理する。これに加えて、各ポーリングエージェント２６ａ、２６ｂでは、それぞれ配下の基地局数（ｎ）に応じたメッセージＰＡＢが送受信され、上下方向でそれぞれｎ本のメッセージＰＥＡを処理するので、結局、ポーリングエージェント２６ａ、２６ｂは上下方向で（ｎ＋１）本のメッセージを処理する。本実施形態では、各ポーリングエージェント２６ａ、２６ｂの配下の基地局１４ａ〜１４ｃ及び基地局１４ｄ〜１４ｆの数がそれぞれ３（ｎ＝３）であるので、各ポーリングエージェント２６ａ、２６ｂは、上下方向でそれぞれ４本のメッセージを処理することとなる。
【００２９】
ＷｉＭＡＸ通信システム１０では、基地局１４ａ〜１４ｆの動作状況を確認するためのポーリングを行うポーリングエージェント２６ａ、２６ｂをＡＳＮ１８ａ、１８ｂ内に設けることにより、ＥＭＳ２２のポーリング処理の負荷を軽減することができるととともに、ポーリングのために送受信されるメッセージのうち、広域通信網２４を経由するメッセージを減らすことにより、広域通信網２４の負荷を軽減することができる。
【００３０】
従来のＷｉＭＡＸ通信システム１００（図３参照）と、ＷｉＭＡＸ通信システム１０とを比較すると、ＷｉＭＡＸ通信システム１００では、ＥＭＳ１０６は、上下方向で３本のメッセージを処理していたのに対して、ＷｉＭＡＸ通信システム１０のＥＭＳ２２は、上下方向で２本のメッセージを処理することとなり、負荷の軽減が図れる。また、広域通信網２４を通過するトラフィック量の軽減も図れる。
【００３１】
また、ＥＭＳ２２の負荷及び広域通信網２４のトラフィック量は、ポーリングエージェント２６ａ、２６ｂの設置数で決定されるので、基地局１４ａ〜１４ｆの増加に伴う負荷及びトラフィック量の増加を避けることができる。
【００３２】
なお、本発明は、上述の実施形態に限らず、本発明の要旨を逸脱することなく、種々の構成を採り得ることはもちろんである。
【００３３】
上記の実施形態では、ポーリングエージェント２６ａ、２６ｂは、ＡＳＮＧＷ１６ａ、１６ｂとは別に設けられているが、ポーリングエージェント２６ａをＡＳＮＧＷ１６ａと一体に構成し、ポーリングエージェント２６ｂをＡＳＮＧＷ１６ｂと一体に構成してもよい。
【符号の説明】
【００３４】
１０、１００…ＷｉＭＡＸ通信システム
１２…端末
１４ａ〜１４ｆ…基地局
１６ａ、１６ｂ、１０２ａ、１０２ｂ…ＡＳＮＧＷ
１８ａ、１８ｂ、１０４ａ、１０４ｂ…ＡＳＮ
２０…ＣＳＮ
２２、１０６…ＥＭＳ
２４…広域通信網
２６ａ、２６ｂ…ポーリングエージェント
【図１】
2011229022.tif 000003
【図２】
2011229022.tif 000004
【図３】
2011229022.tif 000005